(57)【要約】      （修正有）【課題】鞄等に入れて持ち運んでも容易に収納でき、スポーツ応援などで実際に振り回して使用する場合でもコントロールしやすく、他人にぶつけたり、ものに引っ掛けたりすることのない手振旗を提供する。【解決手段】手振旗１は、旗布２０の上辺側を袋状にして袋状部分２１を形成し、この中に一定の弾性乃至は剛性を有する棒状部材１０を収納している。この様に形成された手振旗１では、棒状部材１０は旗布２０よりも短く形成され、その長さ方向両端部は旗布２０で形成された袋状部分２１内に収容されている。よって棒状部材１０の端部は、特段、研磨などの端部処理を施す必要はなく、廉価に製造することができる。【選択図】図１
2009042694.tif 000002
【特許請求の範囲】
【請求項１】
文字又は図柄が表示されるか或いは着色が施された旗布と、当該旗布の一端側に設けられた棒状部材とからなる手振旗であって、
前記棒状部材は、その長さが前記旗布の幅と略同一であって、かつその長さ方向の両端側は、前記旗布で覆われているか、或いはカバー部材が設けられていることを特徴とする手振旗。
【請求項２】
前記旗布及び棒状部材の少なくとも何れかに、当該手振旗を壁面に係止するための係止部が設けられている、請求項１に記載の手振旗。
【請求項３】
前記棒状部材には、その長さ方向に交差する突起からなる把持部が設けられている請求項１又は２に記載の手振旗。
【発明の詳細な説明】
【技術分野】
【０００１】
本発明は、スポーツなどの興行観戦や交通規制などで使用される手振旗に関し、特に持ち運びがし易く、混雑した場所で使用しても他人の迷惑になりにくく、更に使用時における満足感を充たす事のできる手振旗に関する。
【背景技術】
【０００２】
従来、スポーツなどの興行を観戦する際には、その応援の為に手振旗を使用することがある。かかる手振旗は、方形やペナント形状等々のシート状に形成された旗布を、細長いポール状の棒状部材の上部寄りに結び付けて構成されており、通常は棒状部材の下方を握り、棒状部材を振ってシート状の旗布をたなびかせて使用されるものである。
【０００３】
かかる手振旗については、応援に際して振り回したときに棒状部材の先端を他人にぶつけてしまったり、持ち歩くときに、棒状部材の端部で他人を突いたりするなどの問題もある。そこで、従来、特許文献１（登録実用新案第３００８５５４号公報）では、このような棒状部材（ポール部分）を無くして、人体四肢をポールに見立てて該人体四肢に取り付け可能な実質的に輪状の取付具を具えて成るスポーツ応援用の手旗が提案されている。
【０００４】
また、手振旗の棒状部材に関する改良技術は、特許文献２（特開平８−３２８４９９号公報）でも提案されている。この文献では、パイプを数本つないで、バネ、ピン、及びパイプの内径に溝を入れた部品等で組み込んだ伸縮棒と、旗先を旗棒に組みネジ等を使い反対側を房のような紐でとめて、それらを使って伸縮させ、縮めた時、旗の袋部分に棒が入って折り畳めるような手旗における伸縮棒が提案されている。そして、この文献で提案されている伸縮棒を用いて手振旗を形成することにより、旗棒（棒状部材）を伸縮させて短くすることが出来、非常に携帯に優れ、ケースやポケットに入れることが出来るし、外観上も、実用面でも優れて不自由を感じないとの作用・効果を有するものとなっている。
【特許文献１】登録実用新案第３００８５５４号公報
【特許文献２】特開平８−３２８４９９号公報
【発明の開示】
【発明が解決しようとする課題】
【０００５】
従来の手振旗は、細長い棒状部材の一端寄りに旗布が設けられ、当該手振旗を振るための柄の把持部（棒状部材の基端側）は手振旗本体から突き出ていることから、当該手振旗を振る際にはどうしても手振りアーチが大きくなり、旗布側の棒状部材の先端を他人にぶつけてしまうこともあって危険であった。
【０００６】
この点、前記先行文献１に記載された「スポーツ応援用の手旗」によれば、このような危険性はなく、また持ち運びに際して嵩張らない等の効果を発揮できる。しかしながら、かかる手振旗は、人体四肢に取り付けて使用されることから、使用に際しては単に手を振っている感覚と同じであり、使用時における満足感の点で未だ改善の余地を有するものとなっている。
【０００７】
また手振旗は鞄などに入れて運ぶことも多いが、その際、棒状部材が鞄から飛び出し、他人にぶつけてしまったり、どこかに引っ掛けてしまうことがあり他人に迷惑をかけてしまうこともあった。このような携帯性の問題については、前記特許文献２にかかる「手旗における伸縮棒」を手振旗の棒状部材に使用することにより解決することも考えられるが、この場合でも使用に際しては棒を伸長させなければならず、振り回した時に周囲の人にぶつかってしまうといった問題は依然として残ってしまう事になる。
【０００８】
よって本発明では、鞄等に入れて持ち運んでも容易に収納でき、スポーツ応援などで実際に振り回して使用する場合でもコントロールしやすく、他人にぶつけたり、ものに引っ掛けたりすることのない手振旗を提供することを第一の課題とする。
【０００９】
また本発明では、仮に使用時（振り回して使用したとき）において他人にぶつけたとしても怪我を負わせることのないように、使用時における安全性を高めた手振旗を提供することを第二の課題とする。
【００１０】
そして本発明では、使用時における満足感を高めることのできる手振旗を提供することを第三の課題とする。
【００１１】
さらに本発明では、簡易な構造とすることにより、廉価に製造することのできる手振旗を提供することを第四の課題とする。
【課題を解決するための手段】
【００１２】
上記課題の少なくとも何れかを解決するために、本発明では、初めから取っ手を付けず、手振りする際には旗の中央部を握って振ることによって、手振りアーチを小さくしてコントロール性を高め、周囲の人にぶつける事の無い手振旗、および旗の大きさを敢えて小さくしないことによって、使用時における満足感を高めることのできる手振旗を提供するものである。
【００１３】
即ち、本発明にかかる手振旗は、文字又は図柄が表示されるか或いは着色が施された旗布と、当該旗布の一端側に設けられた棒状部材とからなる手振旗であって、前記棒状部材は、その長さが前記旗布の幅と略同一であって、かつその長さ方向の両端側は、前記旗布で覆われているか、或いはカバー部材が設けられている。
【００１４】
旗布は、スポーツ観戦用の応援メッセージや応援するチームのロゴ等を表示した文字・図柄を表示する他、応援するチームのチームカラーを表示することができる。その他にもスポーツ観戦以外の用途、例えば交通規制や手旗信号を表す為の手旗として使用する場合等には、単に着色乃至は色分け模様を表示したり、メッセージを表示することができる。かかる旗布は、布を用いて形成する他、樹脂フィルムや樹脂シート、あるいは合成紙を含む紙を使用して形成することができる。また、この旗布はシート乃至はフィルム状である事が望ましいが、その輪郭形状は、三角形、矩形、方形、その他の多角形や、円形、あるいは動物や植物など、何らかの物品や生物等を模した形状など、各種の形状に形成することができる。
【００１５】
かかる旗布は、三角形を含む多角形状に形成されている場合には、その内の何れかの辺に棒状部材を設けることができ、それ以外の形状では、輪郭形状の何れかの辺（乃至は部分や縁）に棒状部材を添設することができる。また棒状部材は、帯状の部材を用いて旗布に取り付けることもできる。
【００１６】
棒状部材は、一定の弾性乃至は剛性を有する部材で形成することができ、直線状であっても湾曲した形状であっても良い。棒状部材を湾曲した形状に形成する場合には、旗布の輪郭の一部に沿う形状に形成することができる。かかる棒状部材は、伸縮自在あるいは曲折自在に形成することもできるが、製造コストや使用時における耐久性を考慮すれば、伸縮乃至は曲折を実現する為の複雑な構造を有しないものとして形成することが望ましい。
【００１７】
また、当該棒状部材は、その長さが旗布における最も幅広い部分と同等か、あるいはそれよりも短く形成されることが望ましい。ここで、旗布の幅とは、手振旗に形成された状態において、棒状部材の伸長方向に沿う向きの長さのことである。棒状部材をこの様な長さに形成することにより、当該棒状部材を持ちながら手振旗を振ったときのコントロール性が高まり、周囲の人にぶつけてしまう事を無くすことができる。
【００１８】
また当該棒状部材の長さ方向両端部を前記旗布で覆うか、或いは当該両端部にカバー部材を設けることにより、仮に振り回した時や持ち運びに際して自分や周囲の人に手振旗の一部をぶつけた場合でも、当たった人への怪我を最小限に抑えることができる。棒状部材の長さ方向両端部を旗布で覆うには、例えば旗布における棒状部材取付側に袋状部分を形成し、この袋状部分内に、少なくとも棒状部材の端部を収納することができる。この場合、当該柄部分は旗布の幅よりも短く形成されることになる。また、棒状部材の両端部にカバー部材を設けるには、樹脂や布帛などを用いてカバー部材を形成し、当該カバー部材で、棒状部材の端部を覆うか、あるいは棒状部材の端部が鋭ることの無いように、当該棒状部材の両端部に取り付ける事ができる。このようなカバー部材を設けるのは、本発明に係る手振旗において棒状部材の端部が露出している場合が考えられるが、その他にも当該端部が旗布で覆われている場合であっても良い。
【００１９】
以上の様に形成された手振旗では、棒状部材の長さを調整した事により、振り回した時のコントロール性が高まり、意図せず周囲の人に手振旗の一部をぶつけてしまう虞が無くなる。また、仮にぶつけたとしても棒状部材の両端部は、露出していないか或いは端部処理が施されている事から、より危険性をなくす事ができる。
【００２０】
上記本発明に係る手振旗では、旗布及び棒状部材の少なくとも何れかに、当該手振旗を壁面に係止するための係止部を設ける事が望ましい。この手振旗を壁掛けとしても使用できるようにするためである。特に、本発明に係る手振旗では、上記のように棒状部材の長さを調整する結果、棒状部材が旗布から大幅に突起するような事態が無くなり、壁掛けとして使用した場合でも「旗を壁に掛けている」等の不自然さをなくすことができる。特にこの様に形成した場合、当該棒状部材は、この手振旗を壁掛けとして使用した場合のフレームとして機能し、壁に掛けた時に旗布にヨレを生じさせず、意匠効果（装飾的効果）を高める事ができる。その結果、当該手振旗は、スポーツなどの興行を観戦する場合には、応援旗（チアフラッグ）として使用し、観戦終了後にはそのまま持ち帰って壁掛けとして使用することができ、スポーツなどの興行観戦時の記念品とすることも可能になる。
【００２１】
このような係止部としては、この手振旗を壁に掛ける為に機能する部材乃至は構造であり、例えば壁面に設けられたフックに係止されるように構成された孔部や、紐状部材等として具体化することができる。
【００２２】
更に本発明に係る手振旗では、前記棒状部材に、その長さ方向に交差する突起からなる把持部を設けることが望ましい。かかる把持部は、手振旗を振り回す時に使用者が把持する為の部分であり、棒状部材の長さ方向に交差する向きに突き出る様にして形成する。その結果、振り回す時のアーチを長くすることができ、これにより、使用時におけるコントロール性を高めながらも、満足感（旗を振り回している感覚）をも高める事ができる。このような把持部は、前記棒状部材を曲折させて、その一部分が棒状部材の長さ方向に交差する向きに突き出るように形成する他、棒状部材に対して棒状の把持部材を別途設けることもできる。このような把持部を設けた結果、当該手振旗は、大凡団扇のようにして振り回しながら旗布をたなびかせることができ、これまでにない使用感乃至は満足感を発揮できるようになる。
【発明の効果】
【００２３】
本発明にかかる手振旗では、鞄等に入れて持ち運んでも容易に収納でき、他人にぶつけたり、ものに引っ掛けたりすることがなく、スポーツ応援などで実際に使用する際にも周囲の人にぶつけることがなく安全に使用できるものとなっている。また、棒状部材が旗布よりも大幅に突き出ることのない手振り旗で、旗の中央部を片手で掴んで振るものとして構成されることから、振り回したときのコントロール性を大幅に改善することができ、しかも簡易な構造とすることにより、非常に廉価で製作することが出来る。
【発明を実施するための最良の形態】
【００２４】
以下、本発明の実施の形態を添付図面を参照して説明する。図１は好ましい実施の形態にかかる手振旗１を示す（ａ）正面図、（ｂ）ｂ−ｂ’断面図、図２は図１にかかる手振旗１を巻いた状態（携帯時）を示す斜視図であり、図３〜５は他の実施の形態にかかる手振旗１を示す図面であり、図６は棒状部材１０における端部処理状態を示す要部略図である。
【００２５】
先ず、図１に示す手振旗１は、旗布２０の上辺側を袋状にして袋状部分２１を形成し、この中に一定の弾性乃至は剛性を有する棒状の部材（棒状部材１０）を収納している。この様に形成された手振旗１では、棒状部材１０は旗布２０よりも短く形成され、その長さ方向両端部は旗布２０で形成された袋状部分２１内に収容されている。よって棒状部材１０の端部は、特段、研磨などの端部処理を施す必要はなく、廉価に製造することができる。
【００２６】
本実施の形態において、旗布２０は布帛を用いて形成することができ、上端側の袋状部分２１は、当該旗布２０の上端側を折り返して縫合又は接着する他、別途裏打ちのための布帛を旗布２０の上端側に縫合又は接着して形成することができる。また、この袋状部分２１は、その側縁部分２２も閉じられており、これにより棒状部材１０が脱落してしまう虞を無くしている。
【００２７】
棒状部材１０は金属製または樹脂製の棒やのパイプなどを用いて、変形しにくい剛性を有するものとして形成する他、意図的に一定の弾性を発現するように形成したものを用いることもできる。特に弾性を有する棒状部材１０を用いた場合には、旗布２０をたなびかせる事により棒状部材１０も弾性変形し、当該手振旗１で、複雑な軌跡を描くことができるようになる。
【００２８】
このように形成された手振旗１では、使用に際して棒状部材１０の何れかの部位を旗布２０の袋状部分２１の上から握り、そして自在に振り回すことができる。その結果、旗布２０は棒状部材１０によって保形された状態でたなびき、利用者において十分な使用感乃至は満足感を享受することができる。加えて、棒状部材１０の長さ方向全体に旗布２０が存在することから、振り回したときの慣性力が減衰されて、当該手振旗１を自在にコントロールできるようになる。
【００２９】
そしてこの手振旗１を持ち運ぶ場合には、図２に示すように、前記棒状部材１０を軸として旗布２０を巻き取り、コンパクトにして持ち運ぶことができる。このような形態にした場合でも、棒状部材１０の両端部は旗布２０によってカバーされていることから、仮に持ち運びに際して周囲の人にぶつけたとしても、棒状部材１０の端部で怪我を負わせてしまうおそれはなくなる。
【００３０】
更に、このように形成した手振旗１では、棒状部材１０の長さ全体にわたって旗布２０を設けることができるので、旗布２０の幅を最大限に確保しながらも、巻き取った状態（即ち、持ち運ぶ状態）の全体長さを極力短くすることができる。
【００３１】
また、この棒状部材１０は、曲折したり、伸縮したりすることのない棒状に形成されていることから、製造コストを削減できると同時に、十分な強度を確保することができる。
【００３２】
図３は他の実施の形態にかかる手振旗３０１を示す正面図であり、特に棒状部材１０の中央部分を露出させて、ここを把持部とした手振旗３０１である。即ち、旗布３２０は、棒状部材１０の中央部分を露出させるために、袋状部分３２１の中央部分が切り欠かれて形成されている。このように把持部（棒状部材１０が露出した部分）を形成することにより、利用者における手振旗３０１の持ちやすさが向上し、使用時における満足感を高めることができる。
【００３３】
なお、このように棒状部材１０の中央付近を露出させた場合には、当該露出した部分に対して直交するような棒部材を設けて、これを把持部とすることもできる（図示せず）。このように形成した場合、当該棒状部材１０は全体として逆向き「Ｔ」字状となり、直交する棒部材を把持すれば、団扇のようにして旗布３２０をはためかせることができる。
【００３４】
図４は、曲折させた棒状部材４１０を用いて形成した手振旗４０１を示しており、当該棒状部材４１０は、その中央部分を、棒状部材４１０の長さ方向に交差する向きに突き出るように（即ち凸状に）折り曲げ、その折曲げた部分を把持部として形成している。このような把持部を形成することにより、使用時（手振旗４０１を振った時）におけるリーチが長くなり、使用時における満足感を高めることができる。また、このような凸状の突起を形成すれば、その中に指等を挿し通して、当該手振旗１を指周りに回転させることも可能になり、これまでの手振旗では為し得なかった使用態様（応援方法）を実現することができる。
【００３５】
図５は、特に棒状部材５１０を曲折可能に形成した実施の態様を示しており、棒状部材５１０はその長さ方向の中央付近で曲折できるように形成されている（図５（ａ））。このように棒状部材５１０を曲折できるように形成すれば、持ち運びに際しては、一層コンパクトにすることができる。そして、使用に際しては、棒状部材５１０をまっすぐに伸ばして、曲折部を覆うように棒状部材１０に設けられたスライダー５０を移動させることにより、曲折部は直線状に保持されて、手振旗５０１として使用できるようになる。特に、このようにスライダー５０によって曲折部を保持する構造とした場合には、当該スライダー５０を把持部として使用することができ、その結果、使用時における満足感を向上させることができる。
【００３６】
図６は、棒状部材１０の長さを旗布２０よりも長く形成し、当該棒状部材１０の両端が旗布２０上端側の袋状部分２１から突起させている。このような状態においては、当該棒状部材１０の両端を研磨するなど、何らかの端部処理を施さなければ、他人にぶつけたときに怪我を負わせることが考えられる。そこで、本実施の形態に示すように、当該棒状部材１０の両端部には、カバー部材６１１を設け、このような怪我を負わせることのないように形成されている。特に、この実施の形態では、当該カバー部材６１１に、ピンや紐を刺し通すための孔部６０を形成している。この孔部６０は、すなわち当該手振旗１を壁面に係止するための係止部として機能することができる。
【００３７】
このようなカバー部材６１１を使用することにより、棒状部材１０の端部処理を省略して製造コストを削減することができ、かつ当該手振旗１を壁面にかけて装飾品として使用することも可能になる。
【００３８】
尚、本発明の手振旗１は、上記した実施の形態に限定されるものではなく、本発明の要旨を逸脱しない範囲内において種々変更を加え得ることは勿論である。
【産業上の利用可能性】
【００３９】
本発明の手振旗は、スポーツなどの興行を観戦するときに使用する応援用の旗として使用する他、工事現場などでの交通整理用の旗として使用することができる。
【図面の簡単な説明】
【００４０】
【図１】好ましい実施の形態にかかる手振旗１を示す（ａ）正面図、（ｂ）ｂ−ｂ’断面図、
【図２】図１にかかる手振旗１を巻いた状態（携帯時）を示す斜視図
【図３】他の実施の形態にかかる手振旗を示す図面
【図４】更に他の実施の形態にかかる手振旗を示す図面
【図５】更に他の実施の形態にかかる手振旗を示す図面
【図６】棒状部材１０における端部処理状態を示す要部略図
【符号の説明】
【００４１】
１ 手振旗
１０ 棒状部材
２０ 旗布
２１ 袋状部分
２２ 側縁部分
５０ スライダー
６０ 孔部
３０１ 手振旗
３２０ 旗布
３２１ 袋状部分
４０１ 手振旗
４１０ 棒状部材
５０１ 手振旗
５１０ 棒状部材
６１１ カバー部材
【図１】
2009042694.tif 000003
【図２】
2009042694.tif 000004
【図３】
2009042694.tif 000005
【図４】
2009042694.tif 000006
【図５】
2009042694.tif 000007
【図６】
2009042694.tif 000008